(57)【特許請求の範囲】
【請求項１】
スイッチ本体の外面にハーネスとの接続端子が設けられているスイッチのためのスイッチカバーであって、前記接続端子を被覆可能なカバー本体を備え、そのカバー本体を前記スイッチ本体に対して着脱可能に被着し、前記カバー本体には、前記スイッチ本体に設けられたビス止め用の２つの取付孔にそれぞれ貫通されるとともに、それぞれの取付孔の開口縁に弾性掛止可能な外向きの１つの掛止端部を有する２つの取付爪を並行に設け、前記スイッチ本体の両取付孔の開口縁に掛止された前記両取付爪の掛止端部に内向きの外力を加えることによって前記スイッチ本体の両取付孔の開口縁に対する掛止を解除可能としたスイッチカバー。
【請求項２】
前記カバー本体が耐油性の樹脂製である請求項１に記載のスイッチカバー。
【発明の詳細な説明】
【０００１】
【発明の属する技術分野】
本発明は、例えばフォークリフトに用いられているリミットスイッチの接続端子を保護するためのスイッチカバーに関する。
【０００２】
【従来の技術】
従来のバッテリ式フォークリフトにおいては、リフトシリンダやティルトシリンダ等の油圧シリンダを制御するオイルコントロールバルブの近傍にリミットスイッチを設け、そのリミットスイッチによってオイルコントロールバルブが作動位置へ切換操作されたことを検出して荷役用の油圧ポンプを駆動するための電動モータを起動するようにしたものがある。
図４は従来のオイルコントロールバルブ検出用のリミットスイッチを示している。図示のように、オイルコントロールバルブにおけるバルブ本体２１にブラケット２３が設けられ、そのブラケット２３のＵ形切欠部２４にリミットスイッチ２５がその取付軸部２６を嵌め込んだ状態で２個のナット２７によってブラケット２３を挟み込むようにして取り付けられる。そして、図示省略の荷役レバーの操作によってスプール２２が上下動されると、スプール２２のテーパ面２２ａによってリミットスイッチ２５の作動子２８が押動される構造となっている。
【０００３】
【発明が解決しようとする課題】
ところが、上記した従来のリミットスイッチ２５の場合、図示の如くハーネス２９との接続端子３０が剥き出しになっていることから、両接続端子３０間に金属片等が不測に接触した場合、接続端子３０がショートして焼損する可能性があった。
【０００４】
本発明の目的は、上述の問題点に鑑み、スイッチ本体の接続端子に金属片等が不測に接触することを回避する上で有効なスイッチカバーを提供することにある。
【０００５】
【課題を解決するための手段】
上記課題を解決するために、本発明は次のように構成したものである。即ち、請求項１の発明は、スイッチ本体の外面にハーネスとの接続端子が設けられているスイッチのためのスイッチカバーであって、前記接続端子を被覆可能なカバー本体を備え、そのカバー本体を前記スイッチ本体に対して着脱可能に被着し、前記カバー本体には、前記スイッチ本体に設けられたビス止め用の２つの取付孔にそれぞれ貫通されるとともに、それぞれの取付孔の開口縁に弾性掛止可能な外向きの１つの掛止端部を有する２つの取付爪を並行に設け、前記スイッチ本体の両取付孔の開口縁に掛止された前記両取付爪の掛止端部に内向きの外力を加えることによって前記スイッチ本体の両取付孔の開口縁に対する掛止を解除可能としたことを特徴とする。
上記のように構成した請求項１の発明に係るスイッチカバーによれば、スイッチの接続端子に金属片等が不測に接触してショートするといったことを防止して接続端子を保護することができるとともに、スイッチのサービス作業時等には、必要に応じてスイッチ本体から取り外すことが可能なため、スイッチのサービス作業の支障にならない。
【０００６】
また、スイッチカバーを元々スイッチに備えられているビス止め用の２つの取付孔を利用してスイッチ本体に取り付けることができるため、スイッチ本体には一切の加工、改造が不要であり、また、並行に設けた２つの取付爪をそれぞれの取付孔に貫通して外向きの１つの掛止端部をそれぞれの取付孔の開口縁に弾性掛止する構成であるため、取付状態の安定化が図れる。また、スイッチ本体の両取付孔の開口縁に掛止された両取付爪の掛止端部に内向きの外力を加えることにより、それぞれの取付孔の開口縁に対する掛止端部の掛止を解除することができ、これにより、工具を用いること無く簡単に外すことができる。
【０００７】
請求項２の発明は、請求項１に記載のスイッチカバーにおいて、前記カバー本体が耐油性の樹脂製であることを特徴とする。このような構成によれば、スイッチ本体の形状に対応した形のスイッチカバーを簡単に成形することが可能になるとともに、油に対しての耐久性が得られる。
【０００８】
【発明の実施の形態】
以下、本発明の実施の形態を図面に基づいて具体的に説明する。本実施の形態に係るスイッチカバーは、バッテリ式フォークリフトにおける荷役用油圧ポンプを駆動する電動モータの作動を制御するために設けられるリミットスイッチを適用対象とするものであって、図１は本実施の形態を示す斜視図、図２は図１におけるＡ矢視図、図３はスイッチカバーの装着状態を示す断面図である。
【０００９】
図１において、１はリフトシリンダやティルトシリンダ等の油圧シリンダを制御するためのオイルコントロールバルブのバルブ本体を示し、そのバルブ本体１には、スイッチ取付用の略Ｌ形のブラケット３が設けられている。前記電動モータの作動を制御するためのリミットスイッチ５は、略直方体をなすスイッチ本体６の一側面に設けた取付軸部７をブラケット３のＵ形切欠部４に嵌め込んだ状態で２個のナット８にてブラケット２を挟み込むようにして取り付けられる。
リミットスイッチ５は油圧シリンダを作動すべく図示省略の荷役レバーによってスプール２が上下動されると、スプール２のテーパ面２ａによって作動子９を押圧されて作動する。なお、リミットスイッチ５が作動されると、電動モータが駆動して荷役用の油圧ポンプを作動するようになっている。
【００１０】
スイッチ本体６における前記取付軸部７の反対側外面にはハーネス１０との接続端子１１が設けられ、その接続端子１１を被覆するためにスイッチカバー１３が設けられる。
スイッチカバー１３はスイッチ本体６に対応する形状、即ち、背面側と１つの側面との二面を開放した略直方体の箱形に形成されたカバー本体１４を有し、スイッチ本体６に対して着脱可能に装着され、接続端子１１の設定面を含む４面を被覆する。また、スイッチカバー１３は樹脂製、特にポリプロピレンやＡＢＳ樹脂のような耐油性の樹脂から形成されている。
【００１１】
ところで、リミットスイッチ５のスイッチ本体６には、取付性を高めるために前記取付軸部７の他にビス止め用の取付孔１２が設けられており、そしてオイルコントロールバルブ用のリミットスイッチ５の場合は、その取付孔１２が使用されていない。そこで、本実施の形態においては、取付孔１２に対応するように、図２に示す如くスイッチカバー１３のカバー本体１４の内部に、２本の取付爪１５を開放背面側に向かって並行に突設してある。取付爪１５は取付孔１２を貫通可能な長さを有し、その先端が取付孔１２の開口縁に弾性掛止可能に構成されている。
【００１２】
本実施の形態に係るスイッチカバー１３は上記のように構成したので、図３に示すように、取付爪１５をスイッチ本体６の取付孔１２に挿入することによって簡単に装着することができる。そして、装着状態ではリミットスイッチ５の接続端子１１を被覆するので、金属片等が両接続端子１１間に掛け渡し状に接触することを回避し、接続端子１１をショートによる焼損事故から保護することができる。しかも、本実施の形態では、スイッチカバー１３を略直方体の箱形に形成してあるため、水の侵入防止効果も得られる。
また、オイルコントロールバルブの場合、性格上そのメンテナンス作業時において、油が付着する可能性があるが、本実施の形態においては、スイッチカバー１３をポリプロピレンやＡＢＳ樹脂のような耐油性の樹脂から形成したことにより、スイッチ本体の形状に対応した形のスイッチカバーを簡単に成形することが可能になるとともに、油に対して十分な耐久性を得ることができる。
【００１３】
また、本実施の形態においては、スイッチカバー１３を元々リミットスイッチ５に備えられている取付孔１２を利用して取り付ける構成としたので、スイッチ本体６にはカバー取付けのための一切の加工、改造が不要であり、また、取付爪１５を取付孔１２に貫通して開口縁に弾性掛止する構成であるため、車両走行時の振動等で外れるといった虞がなく、安定した装着状態が確保され、しかも図３に矢印で示す如く掛止端部に内向き（掛止解除方向）に外力を加えることによって工具を用いること無く簡単に外すことができる。
【００１４】
なお、本実施の形態はオイルコントロールバルブ用のリミットスイッチ５を対象にして説明したが、必ずしもこれに限定されるものではなく、例えばフットブレーキ又はパーキングブレーキの操作を検出してランプを点灯するために用いられるスイッチ等に適用してもよく、要はハーネス１０との接続端子１１がスイッチ本体６の外面に露出するような形式のスイッチであれば、適用することが可能である。また、スイッチカバー１３の形状については、少なくとも接続端子１１を被覆可能な形状であればよい。
【００１５】
【発明の効果】
以上詳述したように、本発明によれば、スイッチの接続端子に金属片等が不測に接触してショートするといった不具合を防止して接続端子を保護することができるとともに、スイッチのサービス作業時等には、必要に応じてスイッチ本体から取り外すことが可能なため、スイッチのサービス作業の支障にならない。
【図面の簡単な説明】
【図１】本実施の形態を示す斜視図である。
【図２】図１におけるＡ矢視図である。
【図３】スイッチカバーの装着状態を示す断面図である。
【図４】従来のオイルコントロールバルブ用のリミットスイッチを示す斜視図である。
【符号の説明】
５…リミットスイッチ
６…スイッチ本体
１０…ハーネス
１１…接続端子
１２…取付孔
１３…スイッチカバー
１４…カバー本体
１５…取付爪
【図１】
0003944944.tif 000002
【図２】
0003944944.tif 000003
【図３】
0003944944.tif 000004
【図４】
0003944944.tif 000005